(57)【要約】【課題】立体視用の表示処理が可能な映像表示装置の状態に応じて、適切な表示処理が行えるようにする。【解決手段】ソース機器が出力した映像データが入力され、入力可能な映像データのフォーマットについてのデータ格納部１１２に記憶されたデータをソース機器に伝送する第１の端子部１１１を備える。また、三次元表示を行うための同期データを出力する第２の端子部１２８を備える。その第２の端子部１２８に外部機器の接続がある場合に、三次元表示用の映像データが入力可能であることを示すデータをデータ格納部１１２に記憶させる。また、第２の端子部１２８に外部機器の接続がない場合に、三次元表示用の映像データが入力できないことを示すデータをデータ格納部１１２に記憶させる。【選択図】図１
2013026745.tif 000002
【特許請求の範囲】
【請求項１】
ソース機器が出力した映像データが入力され、入力可能な映像データのフォーマットについてのデータを前記ソース機器に伝送する第１の端子部と、
前記第１の端子部に入力した映像データを表示処理する映像データ処理部と、
前記映像データ処理部で処理された映像データによる映像を表示する表示部と、
前記第１の端子部が出力する、入力可能な映像データについてのデータを記憶するデータ格納部と、
前記表示部で三次元表示を行うための同期データを出力する第２の端子部と、
前記第２の端子部に外部機器が接続された場合に、三次元表示用の映像データが入力可能であることを示すデータを前記データ格納部に記憶し、前記第２の端子部に外部機器が接続されていない場合に、三次元表示用の映像データが入力できないことを示すデータを前記データ格納部に記憶する制御を行う制御部とを備えた
映像表示装置。
【請求項２】
前記データ格納部は、不揮発性のメモリを使用し、
前記制御部は、電源投入の際に、前記第２の端子部での外部機器の接続の有無を判断し、そのとき判断した外部機器の接続の有無に対応したデータが前記データ格納部に記憶されていない場合に、前記データ格納部の記憶データを更新する
請求項１記載の映像表示装置。
【請求項３】
前記制御部は、周期的又は不定期に、前記第２の端子部での外部機器の接続の有無を判断し、その判断に基づいて前記データ格納部の記憶データを更新する
請求項１記載の映像表示装置。
【請求項４】
前記第１の端子部は、ＨＤＭＩ規格のインターフェース用の端子部であり、
前記第１の端子部がソース機器に伝送する入力可能な映像データについてのデータは、ディスプレイデータチャンネルのデータである
請求項１記載の映像表示装置。
【請求項５】
ソース機器が出力した映像データを第１の端子部を介して入力すると共に、この第１の端子部で入力可能な映像データのフォーマットについてのデータをデータ格納部から読み出して前記ソース機器に出力する第１の通信処理と、
前記第１の通信処理でソース機器から得られた映像データによる表示を行う表示処理と、
前記表示処理で三次元表示を行うための同期データを外部機器に出力する第２の通信処理と、
前記第２の通信処理を行う外部機器が接続された場合に、前記データ格納部に、三次元表示用の映像データが入力可能であることを示すデータを記憶し、前記外部機器が接続されない場合に、前記データ格納部に、三次元表示用の映像データが入力できないことを示すデータを記憶する制御処理を行う
映像表示方法。
【発明の詳細な説明】
【技術分野】
【０００１】
本開示は、例えば立体映像を表示させる投射型映像表示装置に適用して好適な映像表示装置及び映像表示方法に関する。
【背景技術】
【０００２】
スクリーンに映像を投射（投影）して、そのスクリーンを見ているユーザに三次元映像（立体映像）を認識させる投射型映像表示装置がある。この投射型映像表示装置（プロジェクタ装置）は、スクリーンに左眼用の映像と右眼用の映像とを所定の周期（例えばフィールド周期）で交互に切り替えて表示する。そして、この表示された映像を、左右の眼に対応する開閉部が、映像の表示状態に同期して開閉制御される液晶シャッタ眼鏡等の立体映像観察用眼鏡を通して鑑賞する。
【０００３】
開閉部を開閉制御するための信号（＝同期信号）を立体映像観察用眼鏡に供給する技術としては、例えば、プロジェクタ装置と接続したエミッタ装置（開閉制御装置）から同期信号を含む赤外線を立体映像観察用眼鏡に送信するものが知られている。
【０００４】
特許文献１には、液晶シャッタ眼鏡を使用して立体映像を観察する立体映像表示システムについての記載がある。また、特許文献１には、液晶シャッタ眼鏡に赤外線の同期コードを送信する点についての記載がある。
【先行技術文献】
【特許文献】
【０００５】
【特許文献１】特開平９−９２９９号公報（図１）
【発明の概要】
【発明が解決しようとする課題】
【０００６】
このような立体映像を表示する投射型映像表示装置は、エミッタ装置が接続された状態では、液晶シャッタ眼鏡に対して同期コードを送信することができ、立体映像表示装置として正しく機能する。しかしながら、エミッタ装置が投射型映像表示装置に接続されていない状況では、投射型映像表示装置が左眼用の映像と右眼用の映像とを交互にスクリーンに表示させても、液晶シャッタ眼鏡が作動せず、立体的に映像を鑑賞することは不可能である。このため、映像表示装置にエミッタ装置が接続されていない状況で、映像表示装置に立体視用の映像データが入力した場合には、その入力した立体視用の映像データを、強制的に２Ｄ表示用の通常の映像データに変換して表示させる必要がある。
【０００７】
しかしながら、このように立体視用の映像データを映像表示装置内で２Ｄ表示用の映像データに変換した場合、表示される映像は変換により劣化した映像になってしまう。したがって、映像表示装置内で立体視用の映像データから２Ｄ表示用の映像データに変換することは、避けることが好ましい。なお、ここではプロジェクタ装置としての映像表示装置を例にして説明したが、表示パネルに映像の表示を行う通常の映像表示装置の場合にも、エミッタ装置を接続して立体視を行う構成とした場合、同様の問題がある。
【０００８】
本開示は、立体視用の表示処理が可能な映像表示装置の状態に応じて、適切な表示処理が行える映像表示装置及び映像表示方法を提供することを目的とする。
【課題を解決するための手段】
【０００９】
本開示の映像表示装置は、ソース機器が出力した映像データが入力され、入力可能な映像データのフォーマットについてのデータをソース機器に伝送する第１の端子部を備える。また、第１の端子部が出力する、入力可能な映像データについてのデータを記憶するデータ格納部と、表示部で三次元表示を行うための同期データを出力する第２の端子部と、第２の端子部での接続状態に応じてデータ格納部の記憶を制御する制御部とを備える。
制御部によるデータ格納部の制御として、第２の端子部に外部機器が接続されている場合に、三次元表示用の映像データが入力可能であることを示すデータをデータ格納部に記憶する。また、第２の端子部に外部機器が接続されていない場合に、三次元表示用の映像データが入力できないことを示すデータをデータ格納部に記憶する。
【００１０】
また本開示の映像表示方法は、ソース機器が出力した映像データを第１の端子部を介して入力すると共に、この第１の端子部で入力可能な映像データのフォーマットについてのデータをデータ格納部から読み出してソース機器に出力する第１の通信処理を行う。そして、第１の通信処理でソース機器から得られた映像データによる表示を行う表示処理を行う。また、表示処理で三次元表示を行うための同期データを外部機器に出力する第２の通信処理を行う。さらに、第２の端子部での接続状態に応じてデータ格納部の記憶を制御する制御処理を行う。
制御処理としては、第２の通信処理を行う外部機器が接続されている場合に、データ格納部に、三次元表示用の映像データが入力可能であることを示すデータを記憶する。また、外部機器が接続されていない場合に、データ格納部に、三次元表示用の映像データが入力できないことを示すデータを記憶する。
【００１１】
このようにしたことで、第１の端子部でソース機器に伝える、入力可能な映像データのフォーマットについてのデータが、第２の端子部での接続状態に応じて変化する。すなわち、第２の端子部に、立体視をする上で必要な機器が接続された場合、第１の端子部でソース機器に伝える、入力可能な映像データのフォーマットについてのデータが、三次元表示用の映像データが入力可能を示すデータとなる。また、第２の端子部に、立体視をする上で必要な機器が接続されていない場合、第１の端子部でソース機器に伝える、入力可能な映像データについてのデータが、三次元表示用の映像データが入力できないことを示すデータとなる。
【発明の効果】
【００１２】
本開示によると、第１の端子部でソース機器に伝える、入力可能な映像データのフォーマットについてのデータが、第２の端子部での接続状態に応じて変化する。この接続状態に応じて変化することで、三次元表示が可能な状態と、三次元表示ができない状態とが、装置の状態に応じて自動的に適切に設定されるようになる。
【図面の簡単な説明】
【００１３】
【図１】本開示の一実施の形態による映像表示装置の構成例を示すブロック図である。
【図２】本開示の一実施の形態によるＨＤＭＩケーブルで送信する側と受信する側の構成例を示すブロック図である。
【図３】本開示の一実施の形態による映像表示装置にエミッタ装置を接続した例を示す説明図である。
【図４】本開示の一実施の形態によるＬＡＮケーブルでの伝送状態の例を示す説明図である。
【図５】本開示の一実施の形態によるＥＤＩＤ（Extended display identification data）の設定処理例を示すフローチャートである。
【発明を実施するための形態】
【００１４】
本開示の一実施の形態の例を、以下の順序で説明する。
１．映像表示装置の構成（図１）
２．ＨＤＭＩケーブルで送受信する構成（図２）
３．映像表示装置とエミッタ装置の接続構成（図３，図４）
４．ＥＤＩＤの設定処理（図５）
５．変形例
【００１５】
［１．映像表示装置の構成］（図１）
図１は、本開示の一実施の形態の例の映像表示装置の構成を示した図である。本実施の形態の例は、映像表示装置として、スクリーンに映像を投射するプロジェクタ装置に適用した例である。本開示の映像表示装置（プロジェクタ装置）は、三次元表示が可能な装置であり、入力した映像データが三次元表示用の映像データである場合には、対応した処理を行う。但し、後述するように、映像表示装置の状態に応じて、通常の二次元表示だけを行う状態に制限される場合がある。
【００１６】
図１に示したプロジェクタ装置１００は、ＨＤＭＩ（High-Definition Multimedia Interface）端子部１１１を備える。このＨＤＭＩ端子部１１１は、ＨＤＭＩ規格と称されるデジタル映像・音声入出力インターフェース規格の端子部である。ＨＤＭＩ規格では、映像及び音声の出力側の機器をソース機器と称し、映像及び音声の入力側の機器をシンク機器と称する。
【００１７】
プロジェクタ装置１００のＨＤＭＩ端子部１１１は、シンク機器の端子部、つまり映像及び音声を入力する側の端子部である。ＨＤＭＩ端子部１１１は、映像データや音声データの入力を行うだけでなく、各種制御データやステータスのデータなどの入出力を行う。具体的なデータ伝送チャンネル構成の詳細については後述するが、シンク機器からソース機器に伝送するデータの１つに、入力可能な映像データのフォーマットについてのデータがある。この入力可能な映像データのフォーマットについてのデータを、ソース機器側のＨＤＭＩ端子部が確認し、シンク機器が入力可能なフォーマットで、ソース機器のＨＤＭＩ端子部が映像データと音声データを出力する。
【００１８】
プロジェクタ装置１００のＨＤＭＩ端子部１１１には、ＨＤＭＩ処理部１１０が接続されている。このＨＤＭＩ処理部１１０は、シンク機器としての伝送処理を行う。またＨＤＭＩ端子部１１１に、ＥＤＩＤ格納部１１２が接続されている。ＥＤＩＤ格納部１１２は、シンク機器であるプロジェクタ装置１００が入力可能な映像データのフォーマットについてのデータを記憶する。そして、ソース機器が、ＥＤＩＤ格納部１１２が記憶したデータを読み出す。
【００１９】
ＥＤＩＤ格納部１１２は、例えばＥＥＰＲＯＭよりなる不揮発性メモリで構成される。ＥＥＰＲＯＭを使用するのは１つの例であり、記憶データが保持される不揮発性メモリであれば、他のメモリを使用してもよい。但し、ＥＤＩＤ格納部１１２を構成するメモリは、例えば２５６バイト程度の比較的小容量のメモリであり、ＥＥＰＲＯＭを使用することで、安価に構成できる。また、後述するようにＥＤＩＤ格納部１１２のデータは書き換えが必要であり、この点からもビット単位でデータの書き換えが可能なＥＥＰＲＯＭは好適である。
【００２０】
ＨＤＭＩ処理部１１０でＨＤＭＩ端子部１１１を介して映像データが受信されると、その受信した映像データが、第１映像データ処理部１２２に供給される。
第１映像データ処理部１２２は、入力したインターレースの映像データをプログレッシブの映像データに変換する、いわゆるインターレース／プログレッシブ変換や、１フレームの画面サイズ（画素数）を変換するスケーリングなどを行う。これらの第１映像データ処理部１２２での処理は、入力した映像データのフォーマットにより選択的に実行される。
【００２１】
第１映像データ処理部１２２で処理された映像データは、第２映像データ処理部１２３に供給される。第２映像データ処理部１２３は、供給された映像データが三次元映像データである場合に、その三次元映像データを構成する左眼用映像データと右眼用映像データを分離する処理を行う。三次元映像データについては複数のフォーマットが存在するが、入力した三次元映像データのフォーマットに適合した処理が第２映像データ処理部１２３で行われる。なお、以下の説明では、立体視を行うための三次元映像データを３Ｄ映像データと称する。また、３Ｄ映像データと区別する上で、通常の二次元表示を行う映像データを、２Ｄ映像データと称することがある。
【００２２】
また、第２映像データ処理部１２３は、３Ｄ映像データに含まれる同期データを抽出し、後述する外部機器であるエミッタ装置２００に供給する３Ｄ同期データ（EMIT Sync)を生成して、ＬＡＮ端子部１２８に供給する。３Ｄ同期データは、ユーザが立体視を行うために装着する立体映像観察用眼鏡の液晶シャッタを駆動するための同期データである。
なお、入力した映像データが２Ｄ映像データである場合には、第２映像データ処理部１２３は３Ｄ用の処理を行わない。
【００２３】
第２映像データ処理部１２３で処理された映像データは、映像データ調整部１２４に供給される。映像データ調整部１２４で、３Ｄガンマの調整や、表示パネルガンマの調整などを行い、調整された映像データを表示パネル駆動部１２５に供給する。
【００２４】
表示パネル駆動部１２５は、供給される映像データに対応した表示パネル１３２の駆動を行う。この駆動が行われることで、表示パネル１３２に映像が表示される。表示パネル１３２は、例えば液晶画像表示パネルで構成される。表示パネル１３２には、光源１３１からの光が入射され、この表示パネル１３２を透過した光が、投射レンズ１３３でスクリーン（図示せず）に投射される。このように投射することで、表示パネル１３２に表示された画像が、スクリーン上に表示される。なお、図１では表示パネル１３２として１枚の表示パネルを示しているが、例えば表示映像のそれぞれの色成分ごとに個別のパネルを用意した構成でもよい。また、液晶表示パネル以外のその他の表示方式によるプロジェクタ装置として構成してもよい。
【００２５】
第１映像データ処理部１２２、第２映像データ処理部１２３及び映像データ調整部１２４は、バスラインを介して制御部１２１と通信が可能になっており、これらの処理部１２２，１２３や調整部１２４での処理は、制御部１２１の制御に基づいて実行される。制御部１２１には、メモリ１２７が接続されている。このメモリ１２７には、制御部１２１がプロジェクタ装置１００内の各部を制御するのに必要なプログラムやデータが記憶される。
このメモリ１２７の記憶領域の一部に、２Ｄ映像データ入力可能時（つまり３Ｄ映像データが入力できない場合）のデータ（ＥＤＩＤ）１２７ａと、３Ｄ映像データ入力可能時のデータ（ＥＤＩＤ）１２７ｂとが記憶される。これらのデータ（ＥＤＩＤ）１２７ａ，１２７ｂのうちの何れか一方のデータが、プロジェクタ装置１００の動作モードに応じて、先に説明したＥＤＩＤ格納部１１２に格納される。このＥＤＩＤ格納部１１２へのデータ（ＥＤＩＤ）１２７ａ又は１２７ｂの格納処理の詳細については後述する。
【００２６】
３Ｄ映像データ入力可能時のデータ（ＥＤＩＤ）１２７ｂは、このプロジェクタ装置１００が、３Ｄ表示が可能な動作モードのときに、ＨＤＭＩ端子部１１１を介して入力可能な映像データの入力フォーマットのデータである。この３Ｄ映像データ入力可能時のデータ（ＥＤＩＤ）１２７ｂには、入力可能な３Ｄ映像データのフォーマットの他に、入力可能な２Ｄ映像データのフォーマットのデータも示される。
一方、２Ｄ映像データ入力可能時のデータ（ＥＤＩＤ）１２７ａは、このプロジェクタ装置１００が、３Ｄ表示ができない動作モードのときに、ＨＤＭＩ端子部１１１を介して入力可能な映像データの入力フォーマットのデータである。３Ｄ映像データが入力できない場合であるので、入力可能な２Ｄ映像データのフォーマットデータだけが示されて、結果的に３Ｄ映像データが入力できないことが示される。
【００２７】
また、プロジェクタ装置１００は、ＬＡＮ端子部１２８を備える。
このＬＡＮ端子部１２８は、液晶シャッタ眼鏡を制御するエミッタ装置２００をＬＡＮケーブル９２を介して接続するための端子部である。ＬＡＮ端子部１２８は、接続されたＬＡＮケーブル９２に、３Ｄ同期データ（EMIT Sync)と電源（Power)を供給する。この３Ｄ同期データ（EMIT Sync)は、第２映像データ処理部１２３で３Ｄ映像データから分離した同期データである。また、ＬＡＮ端子部１２８に入力されるデータとして、エミッタ装置２００の接続検出用の検出データ（EMIT Detect)がある。
【００２８】
エミッタ装置２００は、ＬＡＮ端子部２０１と、同期抽出部２０２と、送信部２０３とを備える。そして、ＬＡＮ端子部２０１で受信した３Ｄ同期データ（EMIT Sync)を同期抽出部２０２で抽出し、送信部２０３から赤外線信号として送信する。送信部２０３から送信した赤外線信号は、液晶シャッタ眼鏡８０（図３参照）で受信される。
【００２９】
［２．ＨＤＭＩケーブルで送受信する構成］
次に、プロジェクタ装置１００の映像データ入力部である、ＨＤＭＩ端子部１１１にＨＤＭＩケーブル９１を接続した場合の、相手側の機器との伝送手順を、図２を参照して説明する。先に説明したように、ＨＤＭＩケーブル９１で機器接続を行う場合、映像データの出力側の機器をソース機器と称し、映像データの入力側の機器をシンク機器と称する。
プロジェクタ装置１００はシンク機器であり、図２では、ソース機器３００と、プロジェクタ装置１００のＨＤＭＩ処理部１１０とを、ＨＤＭＩケーブル９１で接続した場合の例を示す。また図２ではデータの伝送チャンネルを示し、端子部は省略している。
【００３０】
ソース機器３００は、映像データや音声データを生成させるソース信号処理部３０１を備え、ソース信号処理部３０１が出力する映像データ、音声データ及びコントロールデータを、ＨＤＭＩ処理部３０２に供給する。ＨＤＭＩ処理部３０２は、映像データ、音声データ及びコントロールデータを、ＴＭＤＳチャンネル０，１，２の３つのチャンネルに分割して配置し、各チャンネルのデータを出力する。また、クロックをＴＭＤＳクロックチャンネルに配置して出力する。各チャンネルは、ＨＤＭＩケーブル９１の個別のラインで伝送される。
【００３１】
ソース機器３００のＴＭＤＳチャンネル０，１，２とＴＭＤＳクロックチャンネルのデータは、シンク機器であるプロジェクタ装置１００のＨＤＭＩ処理部１１０で受信し、映像データと音声データとコントロールデータとに分離する。分離した映像データと音声データとコントロールデータとを、プロジェクタ装置１００内の各部に供給する。例えば、受信した映像データを、図１に示した第１映像データ処理部１２２に供給する。また、受信したコントロールデータを、制御部１２１に供給する。また、受信した音声データを、図示しない音声データ処理部に供給する。プロジェクタ装置１００として音声データ処理部を備えない場合には、受信した音声データの処理を行わない。
【００３２】
また、ＨＤＭＩケーブル９１で伝送されるその他のラインとして、ディスプレイデータチャンネル（ＤＤＣ）と、ＣＥＣ（Consumer Electronics Control）ラインとを備え、これらのチャンネルやラインで双方向のデータ伝送が行われる。ディスプレイデータチャンネルでは、シンク機器であるプロジェクタ装置１００のＥＤＩＤ格納部１１２に格納されたＥＤＩＤを、ソース機器３００のＨＤＭＩ処理部３０２が読み出す。また、ＤＤＣを使用して、ソース機器３００のＨＤＭＩ処理部３０２とシンク機器（プロジェクタ装置１００）のＨＤＭＩ処理部１１０との間で、その他のデータのやり取りについても行う。ＣＥＣラインは、コントロールデータなどの双方向の伝送が行われる。
【００３３】
［３．映像表示装置とエミッタ装置の接続構成］
次に、図３を参照して、映像表示装置であるプロジェクタ装置１００とエミッタ装置２００との接続例を説明する。図３に示すようにプロジェクタ装置１００のＬＡＮ端子部１２８に、ＬＡＮケーブル９２の一方のプラグ９２ａを接続し、エミッタ装置２００のＬＡＮ端子部２０１に、ＬＡＮケーブル９２の他方のプラグ９２ｂを接続する。ＬＡＮケーブル９２は、比較的長い距離（例えば数十ｍ）に設定でき、プロジェクタ装置１００とエミッタ装置２００とを離して設置することが可能になる。
【００３４】
エミッタ装置２００が送信する赤外線信号ＩＲは、液晶シャッタ眼鏡８０で受信される。液晶シャッタ眼鏡８０は、受信した赤外線信号ＩＲに含まれる同期データで、左眼用液晶シャッタと右眼用液晶シャッタを開閉させるタイミングを設定する。プロジェクタ装置１００からスクリーンに投影される映像を視聴するユーザは、このような液晶シャッタ眼鏡８０を装着することで、プロジェクタ装置１００からスクリーンに投影される３Ｄ映像を立体視することができる。すなわち、プロジェクタ装置１００からスクリーンに投影される３Ｄ映像は、左眼用映像と右眼用映像とが交互に配置された映像であり、左眼用映像が表示されるタイミングで右眼用シャッタを閉じ、右眼用映像が表示されるタイミングで左眼用シャッタを閉じる。これにより、液晶シャッタ眼鏡８０を装着したユーザは、左眼で左眼用映像だけを視ると共に右眼で右眼用映像だけを視ることになり、３Ｄ映像を立体視することができる。
エミッタ装置２００がプロジェクタ装置１００に接続されていない状態では、このような液晶シャッタ眼鏡８０の制御ができないため、３Ｄ映像を立体視することはできない。したがって、エミッタ装置２００がプロジェクタ装置１００に接続されていない状態では、プロジェクタ装置１００は、２Ｄ映像の表示だけが可能な表示装置となる。
【００３５】
図４は、ＬＡＮケーブル９２内の配線例を示す説明図である。
プラグ９２ａの８ピンのうち、第１ピンは橙色、第３ピンは黒色、第４ピンは茶色、第６ピンは赤色の配線と接続する。第７ピンと第８ピンはドレイン線で短絡し、第１線と第２線がジャンパ線で短絡し、また第７線と第８線がジャンパ線で短絡する。プロジェクタ装置１００側のプラグ９２ａとエミッタ装置２００側のプラグ９２ｂは、対応する同じ番号の配線を接続する。このような構造の双方のプラグ９２ａ，９２ｂにおいて、プロジェクタ装置１００側から第１ピンと第２ピンに電源（Power）が供給される。また、第３ピンにエミッタ装置２００から検出データ（EMIT_Detect）が得られる。また、プロジェクタ装置１００側から第４ピンを使用して３Ｄ同期データ（EMIT_Sync）が伝送され、第６ピンを使用して強度設定データ（EMIT_Strength）が伝送される。そして、第７ピンと第８ピンがグラウンド（GND）に接続されている。
【００３６】
検出データ（EMIT_Detect）は、ＬＡＮケーブル９２を使用してエミッタ装置２００がプロジェクタ装置１００に接続されたことを確認するためのものである。検出データ（EMIT_Detect）は、プラグ９２ｂがエミッタ装置２００のＬＡＮ端子部２０１に接続されていないとき（非挿入時）にハイ（Ｈ）となり、挿入されているとき（挿入時）にロー（Ｌ）になる。
【００３７】
３Ｄ同期データ（EMIT_Sync）は、液晶シャッタ眼鏡８０の左眼及び右眼のシャッタの開口タイミングを決めるものである。強度設定信号（EMIT_Strength）は、エミッタ装置２００が送信する赤外線信号の強度（＝赤外線ＬＥＤの出力信号の強度）の強弱を設定する信号である。赤外線ＬＥＤの出力信号の強度を強くするときはロー（Ｌ）方向に設定され、弱くするときはハイ（Ｈ）方向に設定される。
【００３８】
［４．ＥＤＩＤの設定処理］
次に、図１に示したプロジェクタ装置１００のＥＤＩＤ格納部１１２が記憶するＥＤＩＤの設定処理について、図５のフローチャートを参照して説明する。このＥＤＩＤ格納部１１２の記憶データは、制御部１２１の制御下で設定される。本実施の形態の例では、制御部１２１は、プロジェクタ装置１００が電源オフ（又はスタンバイ状態）から電源オン状態に変化したとき、図５のフローチャートに示した処理を実行する。なお、ＥＤＩＤ格納部１１２は不揮発性のメモリであるので、電源オンしたときのＥＤＩＤ格納部１１２の記憶データは、前回電源オンして作動させた際に設定した記憶データとなっている。
【００３９】
電源オン時に行われる図５のフローチャートの処理について説明すると、まず制御部１２１は、ＬＡＮ端子部１２８に得られる検出データ（EMIT_Detect）が、ロー（Ｌ）であるか否かを判断する（ステップＳ１１）。検出データ（EMIT_Detect）が、ロー（Ｌ）である状態とは、エミッタ装置２００がプロジェクタ装置１００に接続された状態である。
ステップＳ１１の判断で、検出データ（EMIT_Detect）が、ロー（Ｌ）でない場合（すなわちハイである場合）には、ＥＤＩＤ格納部１１２に格納されたデータが、２Ｄ映像データのフォーマットデータだけであると仮定する（ステップＳ１２）。
【００４０】
そして、ＥＤＩＤ格納部１１２の記憶データを制御部１２１が読み出し、その読み出した記憶データを、２Ｄ映像データのフォーマットデータと比較する（ステップＳ１３）。このときＥＤＩＤ格納部１１２の記憶データと比較する２Ｄ映像データのフォーマットデータは、例えばメモリ１２７に用意されたデータ（ＥＤＩＤ）１２７ａから得る。そして、ステップＳ１３での比較が一致するか否かを判断する（ステップＳ１４）。
【００４１】
ステップＳ１４で一致したと判断した場合には、エミッタ装置２００が接続されていない状況に適合したデータがＥＤＩＤ格納部１１２に記憶されているので、ＥＤＩＤ格納部１１２の記憶データをそのまま保持させる（ステップＳ１５）。
【００４２】
また、ステップＳ１４で不一致を判断した場合には、エミッタ装置２００が接続されていない状況に適合していないＥＤＩＤであり、ＥＤＩＤ格納部１１２の記憶データを、２Ｄ映像データのフォーマットデータだけのＥＤＩＤに書き換える（ステップＳ１６）。この書き換え時には、制御部１２１がメモリ１２７に用意されたデータ（ＥＤＩＤ）１２７ａを読み出し、その読み出したデータでＥＤＩＤ格納部１１２の記憶データを更新する。
この更新によって、エミッタ装置２００が接続されていない状況に適合した、２Ｄ映像データだけが入力できることを示したＥＤＩＤがＥＤＩＤ格納部１１２に格納された状態になる。
【００４３】
また、ステップＳ１１の判断で、検出データ（EMIT_Detect）が、ロー（Ｌ）である場合には、エミッタ装置２００が接続されている状況であり、ステップＳ２１以降の処理が行われる。すなわち、ステップＳ１１の判断後に、ＥＤＩＤ格納部１１２に格納されたデータが、３Ｄ映像データのフォーマットデータを含んだものと仮定する（ステップＳ２１）。
【００４４】
そして、ＥＤＩＤ格納部１１２の記憶データを制御部１２１が読み出し、その読み出した記憶データを、３Ｄ映像データ入力可能時のフォーマットデータと比較する（ステップＳ２２）。このときＥＤＩＤ格納部１１２の記憶データと比較する３Ｄ映像データ入力可能時のフォーマットデータは、例えばメモリ１２７に用意されたデータ（ＥＤＩＤ）１２７ｂから得る。そして、ステップＳ２２での比較が一致するか否かを判断する（ステップＳ２３）。
【００４５】
ステップＳ２３で一致したと判断した場合には、エミッタ装置２００が接続されている状況に適合したデータがＥＤＩＤ格納部１１２に記憶されているので、ＥＤＩＤ格納部１１２の記憶データをそのまま保持する（ステップＳ２４）。
【００４６】
また、ステップＳ２３で不一致を判断した場合には、エミッタ装置２００が接続されている状況に適合していないＥＤＩＤであり、ＥＤＩＤ格納部１１２の記憶データを、３Ｄ映像データ入力可能時のフォーマットデータのＥＤＩＤに書き換える（ステップＳ２５）。この書き換え時には、制御部１２１がメモリ１２７に用意されたデータ（ＥＤＩＤ）１２７ｂを読み出し、その読み出したデータでＥＤＩＤ格納部１１２の記憶データを更新させる。
この更新によって、エミッタ装置２００が接続されている状況に適合した、３Ｄ映像データが入力できることを示したＥＤＩＤがＥＤＩＤ格納部１１２に格納された状態になる。
【００４７】
このように本実施の形態のプロジェクタ装置１００によると、エミッタ装置２００がＬＡＮケーブル９２を介して接続されている場合、ＥＤＩＤ格納部１１２が記憶したＥＤＩＤで、３Ｄ映像データが入力可能であることが示されるようになる。この処理は電源投入時に行われるので、電源投入で立ち上がった際に、エミッタ装置２００が接続されて、３Ｄ映像データの表示処理が可能である場合に、対応したＥＤＩＤとなり、３Ｄ映像データの表示可能な映像表示装置として適正に機能する。
そして、電源立ち上げ時に、プロジェクタ装置１００にエミッタ装置２００が接続されていない場合には、ＥＤＩＤ格納部１１２が記憶したＥＤＩＤで、２Ｄ映像データだけが入力可能であることが示され、３Ｄ映像データが入力できないことが示される。したがって、エミッタ装置２００が接続されていない状況では、２Ｄ映像データだけを受け付ける表示装置となり、ユーザが立体視できない状況で３Ｄ映像データが入力されることを防止できる。あるいは、ユーザが立体視できない状況で３Ｄ映像データが入力した場合に必要な、３Ｄ映像データから２Ｄ映像データへの変換処理が行われることがなく、表示装置での映像データの変換による表示画質の劣化を防止できる。
【００４８】
［５．変形例］
なお、上述した実施の形態の例では、映像表示装置としてスクリーンに映像を投射するプロジェクタ装置に適用した例とした。これに対して、表示パネルをユーザが直視する液晶表示装置や有機ＥＬ（electroluminescence）表示装置などの、他の映像表示装置に本開示の技術を適用してもよい。また、映像表示装置が音声処理系を備える構成として、ＨＤＭＩ端子部などに入力した音声データを処理してスピーカなどから出力させてもよい。
【００４９】
また、ＥＤＩＤ格納部を構成するメモリは、上述した実施の形態ではＥＥＰＲＯＭを使用したが、他の構成の不揮発性メモリを使用してもよい。
例えば、ＥＤＩＤ格納部を構成するメモリとして、フラッシュメモリ、ＮＶＲＡＭ、ＦｅＲＡＭ、ＭＲＡＭなどと称される、不揮発性の各種メモリを使用してもよい。ＥＥＰＲＯＭやフラッシュメモリは、電気的に記憶データの書き換えが可能な不揮発性メモリである。ＮＶＲＡＭ（Non Volatile RAM）は、メモリバックアップ用の電池を備えた不揮発性のメモリである。ＦｅＲＡＭ(Ferroelectric RAM／強誘電体メモリは、記憶素子に強誘電体を利用した不揮発性メモリであり、ＭＲＡＭ（Magnetoresistive RAM／磁気抵抗メモリ）は、記憶素子に磁性体を利用した不揮発性メモリである。
また、ＥＤＩＤ格納部として、図１に示した構成では、専用のメモリを使用した例としたが、映像表示装置が備える他の不揮発性のメモリの一部の記憶領域を使用して、ＥＤＩＤ格納部を構成してもよい。
【００５０】
また、図５に示したフローチャートの処理は、映像表示装置であるプロジェクタ装置の電源投入時に行うようにしたが、電源投入後の表示動作中にも、図５のフローチャートに示した処理を行うようにしてもよい。例えば、映像表示装置が動作中にも、検出データ（EMIT_Detect）の状態の確認を周期的に行い、検出データに変化があった時点で、ＥＤＩＤを書き換えるようにする。このようにすることで、映像表示装置が動作中にエミッタ装置の装着や取り外しがあった場合にも対処が可能になる。この場合の検出データの確認は、ランダムに設定したタイミングで不定期に行うようにしてもよい。
また、このように定期的又は不定期に検出データを確認する処理は、図５のフローチャートに示した電源投入時の処理を行った後に行う。あるいは、電源投入時には検出データの確認は行わず、表示を開始してから、定期的又は不定期に検出データを確認するようにしてもよい。
【００５１】
また、上述した実施の形態の例では、映像入力用の端子として、ＨＤＭＩ規格のインターフェースの端子としたが、その他の規格の端子部としてもよい。他のインターフェースの端子部の場合、それぞれのインターフェースで用意された、入力可能な映像データのフォーマットや形式などを示すデータに適用可能である。
【００５２】
また、エミッタ装置を接続するＬＡＮ端子部についても、ＬＡＮケーブル以外のケーブルで接続する端子部としてもよい。あるいは、映像表示装置とエミッタ装置とで双方向に無線通信可能とし、無線で同期データを伝送させた上で、映像表示装置でエミッタ装置と無線通信可能な状態であることを検出して、同様の制御を行うようにしてもよい。
【００５３】
なお、本開示は以下のような構成も取ることができる。
（１）ソース機器が出力した映像データが入力され、入力可能な映像データのフォーマットについてのデータを前記ソース機器に伝送する第１の端子部と、
前記第１の端子部に入力した映像データを表示処理する映像データ処理部と、
前記映像データ処理部で処理された映像データによる映像を表示する表示部と、
前記第１の端子部が出力する、入力可能な映像データについてのデータを記憶するデータ格納部と、
前記表示部で三次元表示を行うための同期データを出力する第２の端子部と、
前記第２の端子部に外部機器が接続されている場合に、三次元表示用の映像データが入力可能であることを示すデータを前記データ格納部に記憶し、前記第２の端子部に外部機器が接続されていない場合に、三次元表示用の映像データが入力できないことを示すデータを前記データ格納部に記憶する制御を行う制御部とを備えた
映像表示装置。
【００５４】
（２）前記データ格納部は、不揮発性のメモリを使用し、
前記制御部は、電源投入の際に、前記第２の端子部に外部機器の接続の有無を判断し、そのとき判断した外部機器の接続の有無に対応したデータが前記データ格納部に記憶されていない場合に、前記データ格納部の記憶データを更新する
前記（１）記載の映像表示装置。
【００５５】
（３）前記制御部は、周期的又は不定期に、前記第２の端子部に外部機器の接続の有無を判断し、その判断に基づいて前記データ格納部の記憶データを更新する
前記（１）又は（２）記載の映像表示装置。
【００５６】
（４）前記第１の端子部は、ＨＤＭＩ規格のインターフェース用の端子部であり、
前記第１の端子部がソース機器に伝送する入力可能な映像データについてのデータは、ディスプレイデータチャンネルのデータである
前記（１）から（３）のいずれか１項に記載の映像表示装置。
【００５７】
（５）ソース機器が出力した映像データを第１の端子部を介して入力すると共に、この第１の端子部で入力可能な映像データのフォーマットについてのデータをデータ格納部から読み出して前記ソース機器に出力する第１の通信処理と、
前記第１の通信処理でソース機器から得られた映像データによる表示を行う表示処理と、
前記表示処理で三次元表示を行うための同期データを外部機器に出力する第２の通信処理と、
前記第２の通信処理を行う外部機器が接続された場合に、前記データ格納部に、三次元表示用の映像データが入力可能であることを示すデータを記憶し、前記外部機器が接続されない場合に、前記データ格納部に、三次元表示用の映像データが入力できないことを示すデータを記憶する制御処理を行う
映像表示方法。
【符号の説明】
【００５８】
８０…液晶シャッタ眼鏡、９１…ＨＤＭＩケーブル、９２…ＬＡＮケーブル、１００…プロジェクタ装置（映像表示装置）、１１０…ＨＤＭＩ処理部、１１１…ＨＤＭＩ端子部、１１２…ＥＤＩＤ格納部、１２１…制御部、１２２…第１映像データ処理部、１２３…第２映像データ処理部、１２４…映像データ調整部、１２５…表示パネル駆動部、１２７…メモリ、１２８…ＬＡＮ端子部、１３１…光源、１３２…表示パネル、１３３…投射レンズ、２００…エミッタ装置、２０１…ＬＡＮ端子部、２０２…同期抽出部、２０３…送信部、３００…ソース機器、３０１…データ処理部、３０２…ＨＤＭＩ処理部、３０３…ＥＤＩＤ受信部
【図１】
2013026745.tif 000003
【図２】
2013026745.tif 000004
【図３】
2013026745.tif 000005
【図４】
2013026745.tif 000006
【図５】
2013026745.tif 000007